(57)【要約】【課題】周波数リソースとネットワークリソースとを互いの均衡をとりながら共用することが可能な仕組みを提供する。【解決手段】無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定を決定する決定部と、前記決定部による決定結果に基づいて決定がなされていないリソースの利用設定の決定を他の装置に要求する要求部と、を備える装置。【選択図】図１
2018173418.tif 000002
【特許請求の範囲】
【請求項１】
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定を決定する決定部と、
前記決定部による決定結果に基づいて決定がなされていないリソースの利用設定の決定を他の装置に要求する要求部と、
を備える装置。
【請求項２】
前記決定部は、前記周波数リソースの利用設定を決定し、
前記要求部は、決定された前記周波数リソースの利用設定を示す情報を前記他の装置に送信する、請求項１に記載の装置。
【請求項３】
前記要求部は、決定された前記周波数リソースの利用設定を示す情報と、提供される前記無線通信サービスを示す情報とを対応付けて前記他の装置に送信する、請求項２に記載の装置。
【請求項４】
前記決定部は、前記無線通信装置による利用が可能な周波数リソースを示す情報を、周波数監理データベースから取得する、請求項２に記載の装置。
【請求項５】
前記決定部は、前記ネットワークリソースの利用設定を決定し、
前記要求部は、決定された前記ネットワークリソースの利用設定を示す情報を前記他の装置に送信する、請求項１に記載の装置。
【請求項６】
前記要求部は、決定された前記ネットワークリソースの利用設定を示す情報と、前記無線通信装置を示す情報とを対応付けて前記他の装置に送信する、請求項５に記載の装置。
【請求項７】
前記要求部は、推奨する前記周波数リソースの利用設定を示す情報を前記他の装置に送信する、請求項６に記載の装置。
【請求項８】
前記決定部は、所定の条件が満たされた場合に、前記周波数リソースの利用設定、又は前記ネットワークリソースの利用設定のいずれか一方の変更を決定し、
前記要求部は、変更が決定されていないリソースの利用設定の変更の決定を前記他の装置に要求する、請求項１に記載の装置。
【請求項９】
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得する取得部と、
前記取得部により取得された情報に基づいて、決定がなされていないリソースの利用設定を決定する決定部と、
を備える装置。
【請求項１０】
前記決定部は、無線通信装置による無線通信サービスの提供のための利用が可能とされるリソースの量を決定する、請求項９に記載の装置。
【請求項１１】
前記決定部は、前記無線通信装置又は前記論理ネットワークが収容可能な端末数の推定値に基づいて決定する、請求項９に記載の装置。
【請求項１２】
前記無線通信装置が利用する周波数ごとに前記論理ネットワークが関連付けられる、請求項９に記載の装置。
【請求項１３】
前記無線通信装置が利用する複数の周波数がひとつの前記論理ネットワークに関連付けられる、請求項９に記載の装置。
【請求項１４】
複数の前記無線通信装置がひとつの前記論理ネットワークに関連付けられる、請求項９に記載の装置。
【請求項１５】
前記決定部は、前記無線通信装置、決定された前記周波数リソースの利用設定、及び決定された前記ネットワークリソースの利用設定を対応付けた情報を生成する、請求項９に記載の装置。
【請求項１６】
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定をプロセッサにより決定することと、
決定結果に基づいて決定がなされていないリソースの利用設定の決定を他の装置に要求することと、
を含む方法。
【請求項１７】
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得することと、
取得された情報に基づいて、決定がなされていないリソースの利用設定をプロセッサにより決定することと、
を含む方法。
【請求項１８】
コンピュータを、
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定を決定する決定部と、
前記決定部による決定結果に基づいて決定がなされていないリソースの利用設定の決定を他の装置に要求する要求部と、
として機能させるためのプログラムを記録した記録媒体。
【請求項１９】
コンピュータを、
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得する取得部と、
前記取得部により取得された情報に基づいて、決定がなされていないリソースの利用設定を決定する決定部と、
として機能させるためのプログラムを記録した記録媒体。
【発明の詳細な説明】
【技術分野】
【０００１】
本開示は、装置、方法及び記録媒体に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「５Ｇ（第５世代）」「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。【０００４】
例えば、ＮＲでは、低遅延、高信頼、又は高セキュリティ等の様々なユースケースに対応した複数形態の通信をひとつのネットワークで収容するためのスライシング技術が検討されている。スライシング技術によれば、スライス又はネットワークスライスと呼ばれる論理ネットワークをひとつの物理ネットワークにおいて共存させることが可能である。これにより、ユーザが利用するサービスの要求条件に合わせて効率的にネットワークを提供することが可能となる。【０００５】
他方、近年ますます逼迫しつつある周波数リソースの確保のために、世界中で周波数共用（Spectrum  Sharing）の法制化及び標準化が進められている。例えば、近年米国では、世界的には３ＧＰＰ  ｂａｎｄ  ４２，  ４３とされている周波数帯とオーバーラップするFederal  use  band（3.55−3.70GHz）の一般国民への開放を目指し、周波数共用技術を活用するＣＢＲＳ（Citizens  Broadband  Radio  Service）の法制度化されており、現在標準化が加速している。なお、運用される無線アクセス方式としては、現時点ではＬＴＥが主流になることが想定されている。【０００６】
周波数共用技術に関しては、周波数リソースを効率的に利用するための技術が多く開発されている。例えば、下記特許文献１では、位置情報に対応する周波数リソースのうち、通信需要に応じた周波数リソースを利用主体に利用させる技術が開示されている。
【先行技術文献】
【特許文献】
【０００７】
【特許文献１】特許第５６７９０３３号公報
【発明の概要】
【発明が解決しようとする課題】
【０００８】
周波数共用技術とスライシング技術とは、組み合わされて無線通信システムが運用され得る。その場合、通信事業者は、周波数リソースとコアネットワーク等のネットワークのリソースとを他の通信事業者と共用しながら、無線通信サービスをユーザに提供すると想定される。【０００９】
周波数リソースと同様にネットワークリソースも有限であるので、多種多様なスライスを共存させるためにはネットワークリソースも効率的に運用されることが望ましい。さらには、周波数リソース及びネットワークリソースの効率的な共用が共に実現されることが望ましい。【００１０】
そこで、本開示では、周波数リソースとネットワークのリソースとを互いの均衡をとりながら共用することが可能な仕組みを提供する。
【課題を解決するための手段】
【００１１】
本開示によれば、無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定を決定する決定部と、前記決定部による決定結果に基づいて決定がなされていないリソースの利用設定の決定を他の装置に要求する要求部と、を備える装置が提供される。【００１２】
また、本開示によれば、無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得する取得部と、前記取得部により取得された情報に基づいて、決定がなされていないリソースの利用設定を決定する決定部と、を備える装置が提供される。【００１３】
また、本開示によれば、無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定をプロセッサにより決定することと、決定結果に基づいて決定がなされていないリソースの利用設定の決定を他の装置に要求することと、を含む方法が提供される。【００１４】
また、本開示によれば、無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得することと、取得された情報に基づいて、決定がなされていないリソースの利用設定をプロセッサにより決定することと、を含む方法が提供される。【００１５】
また、本開示によれば、コンピュータを、無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定を決定する決定部と、前記決定部による決定結果に基づいて決定がなされていないリソースの利用設定の決定を他の装置に要求する要求部と、として機能させるためのプログラムを記録した記録媒体が提供される。【００１６】
また、本開示によれば、コンピュータを、無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得する取得部と、前記取得部により取得された情報に基づいて、決定がなされていないリソースの利用設定を決定する決定部と、として機能させるためのプログラムを記録した記録媒体が提供される。【００１７】
本開示によれば、無線通信装置による無線通信サービスの提供のための、周波数リソースの利用設定又はネットワークリソースの利用設定のうち、いずれか一方のリソースの利用設定が、まず決定される。そして、一方の決定結果に基づいて、他方のリソースの利用設定が決定される。これにより、周波数リソース又はネットワークリソースの利用設定が、他方の利用設定の決定結果に基づいて決定されることになる。このようにして、互いに均衡のとれた周波数リソース及びネットワークリソースの利用設定の決定が可能となる。
【発明の効果】
【００１８】
以上説明したように本開示によれば、周波数リソースとネットワークリソースとを互いの均衡をとりながら共用することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１９】
【図１】本開示の一実施形態に係るシステムのアーキテクチャの一例を示す図である。
【図２】同実施形態に係るシステムのアーキテクチャの一例を示す図である。
【図３】周波数リソースとコアネットワークリソースとの均衡を説明するための図である。
【図４】同実施形態に係る周波数リソースマネージャの構成の一例を示すブロック図である。
【図５】同実施形態に係るコアネットワークリソースマネージャの構成の一例を示すブロック図である。
【図６】同実施形態に係るシステムにおいて実行される第１の方法における周波数リソースの利用設定の決定処理の流れの一例を示す図である。
【図７】同実施形態に係るシステムにおいて実行される第１の方法におけるリソース確保処理の流れの一例を示す図である。
【図８】同実施形態に係るシステムにおいて実行される第２の方法におけるコアネットワークリソースの利用設定の決定処理の流れの一例を示す図である。
【図９】同本実施形態に係るシステムにおいて実行される第２の方法における周波数リソースの利用設定の決定処理の流れの一例を示す図である。
【図１０】サーバの概略的な構成の一例を示すブロック図である。
【発明を実施するための形態】
【００２０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２１】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて無線通信装置１００Ａ、１００Ｂ及び１００Ｃのように区別する。ただし、実質的に同一の機能構成を有する複数の要素の各々を特に区別する必要がない場合、同一符号のみを付する。例えば、無線通信装置１００Ａ、１００Ｂ及び１００Ｃを特に区別する必要が無い場合には、単に無線通信装置１００と称する。
【００２２】
なお、説明は以下の順序で行うものとする。
１．はじめに
１．１．周波数共用
１．２．スライス
１．３．アーキテクチャ
１．４．技術的課題
２．各装置の構成例
２．１．周波数リソースマネージャの構成例
２．２．コアネットワークリソースマネージャの構成例
３．技術的特徴
３．１．無線通信装置の割り当て手続き
３．２．リソースの利用設定手続き
３．２．１．第１の方法
３．２．２．第２の方法
３．３．利用設定の更新
４．応用例
５．まとめ
【００２３】
＜＜１．はじめに＞＞
＜１．１．周波数共用＞
周波数リソースは有限であるため、周波数リソースの効率的な活用を実現するための技術が各所で検討されている。例えば、米国において３，５５０−３，７００ＭＨｚ帯向けに法制度化されているＣＢＲＳ（Citizens  Broadband  Radio  Service）では、３つの優先度を設け、最高優先度が付与される既存システム（Incumbent  System）を保護しつつ、無線ネットワークの各々に優先度に応じてチャネル（即ち、周波数帯域）を割当てることが検討されている。
【００２４】
また、周波数リソースの効率的な活用を実現するための一案として、ある無線ネットワークに割り当てられた周波数帯を、他の無線ネットワークに利用させるための仕組みが検討されている。例えば、ＴＶ放送システムに割り当てられている周波数チャネルのうち、地域に応じて当該ＴＶ放送システムにより利用されていないチャネル（ＴＶホワイトスペースとも称される）を、他のシステムに開放して利用させる仕組みが検討されている。このような仕組みは、周波数の二次利用とも称される。一般的に、周波数チャネルが優先的に割り当てられているシステムは一次システム（Primary  System）、当該周波数チャネルを二次利用するシステムは二次システム（Secondary  System）と呼ばれる。
【００２５】
＜１．２．スライス＞
ＮＲの特徴は、２つある。第１の特徴は、６ＧＨｚ以上１００ＧＨｚまでの周波数帯を用いて、高速大容量の通信を実現することである。第２の特徴は、様々なユースケースのための複数形態の通信を効率的に収容することである。ここで、複数形態の通信とは、高速大容量通信（Mobile  Broad  Band）、低遅延通信（Low  Latency）、ＭＴＣ（Machine  Type  Communication）、及びＤ２Ｄ（Device  to  Device）等を含む。ＮＲでは、これらの複数形態の通信を、ひとつのネットワークで収容することが検討されている。
【００２６】
ＲＡＮと接続するコアネットワーク側の技術として、ＬＴＥではＥＰＣ（Evolved  Packet  Core）が採用されていたが、その後継として、Ｎｅｗ  Ｃｏｒｅが検討されている。Ｎｅｗ  Ｃｏｒｅには、上述した複数形態の通信を効率よく収容すること、及びＣＡＰＥＸ／ＯＰＥＸ（設備導入費用、運用費用）を低く抑えることが求められている。
【００２７】
ＣＡＰＥＸ／ＯＰＥＸを低く保ちながら、複数形態の通信を提供するためには、通信形態ごとに物理的にネットワークを分けることは困難である。そこで、物理的には単一のネットワークにおいて複数の通信形態に対応する複数の論理的なネットワークを運用すること、及び通信形態ごとの通信量の需要に応じて柔軟に論理ネットワークのキャパシティを変更することが検討されている。
【００２８】
そのためには、コアネットワークの各ノード（換言すると、通信設備）を仮想マシン（virtual  machine）として実装して、論理ネットワークごとに対象の通信形態に応じたノードの動作を仮想的に実行させることが考えられる。仮想マシンで実装された機能については、通信の需要の増減に応じて機能を増減させたり、機能ごとに割り当てられる計算機リソースを増減させたりすることが可能なためである。仮想マシンにより実装された機能は、仮想ネットワーク技術により、他の機能と接続されてネットワーク化される。そのような仮想ネットワーク技術としては、例えば、各スイッチのルールを中央のコントローラが配布して、当該コントローラが配布したルールに従ってスイッチが動作する、オープンフロー（Open  Flow）という技術がある。オープンフローによれば、仮想マシンによって実装された機能同士を接続するスイッチを自在に切り替えることで、柔軟なネットワーク運用が可能となる。
【００２９】
以上のように、仮想マシンとオープンフローのような仮想ネットワーク（virtual  network）の技術とを組み合わせて、性質の異なる論理ネットワーク（即ち、通信のための土管）を提供する技術は、スライシング（Slicing）とも称される。例えば、仮想マシンとオープンフロースイッチとを組み合わせることで、低遅延通信用のコアネットワーク、ＭＴＣ用のコアネットワーク、Ｄ２Ｄ用のコアネットワークが、ひとつの物理ネットワーク上で実現される。換言すると、互いに異なる通信サービスを提供可能な、論理的に独立なネットワークが、ひとつの物理ネットワーク上で実現される。スライシング技術において提供される論理ネットワークは、スライス又はネットワークスライスとも称される。スライシング技術によれば、用途の異なる論理ネットワークを柔軟に提供することができる。さらに、スライシング技術によれば、仮想マシンに割り当てる計算リソースを増減させたり、スイッチングを変更したりすることにより、各スライスの容量を柔軟に変更可能である。
【００３０】
＜１．３．アーキテクチャ＞
以下、図１を参照して、本開示の一実施形態に係るシステムのアーキテクチャを説明する。
【００３１】
図１は、本開示の一実施形態に係るシステム１のアーキテクチャの一例を示す図である。図１に示すように、システム１は、複数の無線通信装置１００（１００Ａ〜１００Ｃ）、コアネットワーク２００、及び周波数監理データベース５００を含む。
【００３２】
無線通信装置１００は、ユーザに無線通信サービスを提供する装置である。例えば、無線通信装置１００は基地局であり、セルを運用してセル内のユーザ端末へのダウンリンク信号を送信してアップリンク信号を受信する。無線通信装置１００は、周波数監理データベース５００から提供される周波数情報に基づいて運用される。無線通信装置１００は、利用する周波数及び送信電力等の無線パラメータを制御する制御部と、制御部により制御された無線パラメータに従って電波を発射するアンテナ部とを少なくとも含む。なお、無線通信装置１００は、物理的にひとつの装置として構成されてもよいし、ＲＲＨ（Remote  Radio  Head）と制御装置とから成るＤＡＳ（Distributed  Antenna  System）のように物理的に分離して構成されてもよい。なお、無線通信装置１００は、インフラとも称される場合がある。
【００３３】
コアネットワーク２００は、無線通信装置１００が接続する物理ネットワークの一例である。例えば、コアネットワーク２００は、無線通信装置１００と無線通信装置１００により提供される無線通信サービスを享受するユーザ端末との通信を制御する機能を有する。具体的には、コアネットワーク２００は、ユーザ端末のモビリティを管理したり、ハンドオーバを指示したり、インターネットとユーザ端末とのユーザデータの送受信を中継したりする。コアネットワーク２００上では、ひとつ以上のスライス（即ち、論理ネットワーク）が展開され得る。コアネットワーク２００のリソース（即ち、ネットワークリソース）を、以下ではコアネットワークリソースとも称する。コアネットワークリソースは、具体的には、コアネットワーク２００を形成する各種装置の計算機リソース、記憶リソース、及び各装置間の物理回線リソース等を含む。スライスは、割り当てられたコアネットワークリソースを利用して動作する。
【００３４】
図１に示すように、コアネットワーク２００は、周波数リソースマネージャ３００及びコアネットワークリソースマネージャ４００を含む。周波数リソースマネージャ３００及びコアネットワークリソースマネージャ４００の各々は、物理にひとつの装置として構成されてもよいし、複数の装置上に展開されてもよい。また、周波数リソースマネージャ３００及びコアネットワークリソースマネージャ４００は、同一の装置において論理的に分離して実装されてもよい。
【００３５】
周波数リソースマネージャ３００は、周波数監理データベース５００にアクセスして、利用可能周波数の情報を取得する。また、周波数リソースマネージャ３００は、複数の無線通信装置１００間で、互いに有害な干渉を与え合うことがないよう、各々の無線通信装置１００に利用可能な周波数を割り当てる。このような周波数の利用調整機能は、ETSI  EN  303  145及びETSI  EN  303  387で規格化されている、ＳＣ（Spectrum  Coordinator）によって提供され得る。また、このような周波数の利用調整機能は、IEEE  802.19.1-2014又は規格化作業中のIEEE  P802.19.1aによっても提供され得る。
【００３６】
コアネットワークリソースマネージャ４００は、コアネットワーク２００上で展開されるスライスの運用に利用されるコアネットワークリソースを制御する。コアネットワークリソースマネージャ４００によるリソースの制御は、例えば仮想マシンに割り当てる計算リソースを増減させたり、スイッチングを変更したりすることにより行われる。
【００３７】
周波数監理データベース５００は、周波数共用に関する監理（management）するエンティティである。周波数監理データベース５００は、周波数共用が実施される周波数帯域において、一次システムに対して有害な干渉及び妨害波を与えないような周波数とその周波数に紐づいた最大送信電力を無線通信装置１００に提供すること、及び当該周波数帯域における電波の発射を許可すること、といった役目を有する。例えば、ＴＶＷＳ（TV  band  White  Space）において利用されるＧＬＤＢ（Geolocation  database）、及び米国の47  C.F.R  Part  96において規定されるＳＡＳ（Spectrum  Access  System）が、周波数監理データベース５００に相当する。
【００３８】
以上、システム１のアーキテクチャの一例を説明した。
【００３９】
ここで、図１では、エンティティ間の関係性のみを示しているが、システム１は複数の通信事業者により共用されてもよい。その場合のアーキテクチャを、図２を参照して説明する。
【００４０】
図２は、本実施形態に係るシステム１のアーキテクチャの一例を示す図である。図２に示すように、システム１は、図１に示した構成に加えて、コアネットワーク２００がインフラマネージャ８００を含み、コアネットワーク２００に複数の通信事業者装置６００（６００Ａ〜６００Ｃ）が接続される。
【００４１】
通信事業者装置６００は、通信事業者により運用される装置であり、通信事業者からの各種情報の入力を受け付けて、通信事業者への情報を出力する。ここで、本明細書における通信事業者とは、無線通信サービスを提供する主体であるものとする。例えば、通信事業者は、Mobile  Internet  Service  Provider（ISP）であってもよいし、MVNO（Mobile  Virtual  Network  Operator）であってもよい。なお、以下の説明では、無線通信装置１００及びコアネットワーク２００は、通信事業者とは論理的に異なるエンティティが運用するものとする。もちろん、実施の際には、無線通信装置１００の一部若しくは全部、又はコアネットワーク２００の一部若しくは全部を保有する通信事業者が存在してもよいし、それらを保有する通信事業者から一部のリソースを借り受ける通信事業者が存在してもよい。
【００４２】
図２に示すように、無線通信装置１００及びコアネットワーク２００は、共用対象である。無線通信装置１００及びコアネットワーク２００は、複数の事業者により共用され得る。例えば、コアネットワーク２００の共用は、個々の事業者のためにスライスが提供されることで実現される。また、無線通信装置１００の共用は、個々の事業者のために無線通信装置１００が割り当てられることで実現される。ひとつの無線通信装置１００は、典型的には一事業者に割り当てられる。ひとつの無線通信装置１００は、複数の事業者に割り当てられてもよく、その場合、例えば事業者間で無線通信装置１００が利用する周波数が異なってもよい。
【００４３】
インフラマネージャ８００は、複数の通信事業者によるインフラ（即ち、無線通信装置１００）の共用を管理（management）するエンティティである。インフラマネージャ８００は、自動的に又は動的に割り当てを行ったり管理をしたりすることができる。複数の通信事業者によりインフラが共用される場合であっても、静的な方法で共用されるのであれば、インフラマネージャ８００は設けられなくてもよい。インフラマネージャ８００が存在しない場合、通信事業者間または通信事業者とインフラ提供者との間の契約（Agreement）に基づいて、無線通信装置１００が各々の通信事業者に割り当てられてもよい。
【００４４】
＜１．４．技術的課題＞
以下、図３を参照して、無線通信装置１００及びコアネットワーク２００が共用される場合の技術的課題を説明する。
【００４５】
図３は、周波数リソースとコアネットワークリソースとの均衡を説明するための図である。図３では、通信事業者が無線通信サービスを提供する際に利用される周波数リソースの量とコアネットワークリソースの量とが示されている。ケースＡにおいては、コアネットワークリソース、周波数リソース共に適正な量が通信事業者に割り当てられている。ケースＢにおいては、コアネットワークリソースが少なく、周波数リソースが適正量を大幅に超えている。このような場合、無線区間において多数の無線通信装置による同時アクセスが可能となる一方で、コアネットワーク２００において輻輳が生じる可能性がある。ケースＣ及びケースＤにおいてはその逆が生じてしまう可能性がある。
【００４６】
無線通信装置１００及びコアネットワーク２００が共用される運用形態においては、ケースＢ〜Ｄのように、周波数リソースとコアネットワークリソースとの均衡がとれない場合、いずれか一方又は両方のリソースの利用効率が大きく低下してしまう恐れがある。これによって、無駄なネットワーク運用コストが発生し得る。
【００４７】
そこで、以下では、周波数リソースとコアネットワークリソースとを互いの均衡をとりながら共用することが可能な仕組みを提案する。そのような仕組みによれば、リソースの無駄な割り当てが削減されると共に、過少な割り当ても防止されて、リソースの利用効率を向上させることが可能となる。
【００４８】
＜＜２．各装置の構成例＞＞
＜２．１．周波数リソースマネージャ３００の構成例＞
続いて、図４を参照して、本開示の一実施形態に係る周波数リソースマネージャ３００の構成の一例を説明する。図４は、本開示の一実施形態に係る周波数リソースマネージャ３００の構成の一例を示すブロック図である。図４を参照すると、周波数リソースマネージャ３００は、ネットワーク通信部３１０、記憶部３２０、及び処理部３３０を備える。
【００４９】
（１）ネットワーク通信部３１０
ネットワーク通信部３１０は、信号を送受信する。例えば、ネットワーク通信部３１０は、無線通信装置１００、コアネットワークリソースマネージャ４００、周波数監理データベース５００、通信事業者装置６００又はインフラマネージャ８００との間で通信を行う。
【００５０】
（２）記憶部３２０
記憶部３２０は、周波数リソースマネージャ３００の動作のためのプログラム及び様々なデータを一時的に又は恒久的に記憶する。
【００５１】
（３）処理部３３０
処理部３３０は、周波数リソースマネージャ３００の様々な機能を提供する。処理部３３０は、取得部３３１、決定部３３３、及び要求部３３５を含む。取得部３３１は、周波数リソースの利用設定の決定要求をコアネットワークリソースマネージャ４００から取得する機能を有する。決定部３３３は、無線通信装置１００による無線通信サービスの提供のための、無線通信装置１００による周波数リソースの利用設定を決定する機能を有する。要求部３３５は、無線通信装置１００による無線通信サービスの提供のための、スライスによるコアネットワークリソースの利用設定を決定するようコアネットワークリソースマネージャ４００に要求する機能を有する。なお、処理部３３０は、これらの構成要素以外の他の構成要素をさらに含み得る。即ち、処理部３３０は、これらの構成要素の動作以外の動作も行い得る。
【００５２】
＜２．２．コアネットワークリソースマネージャ４００の構成例＞
続いて、図５を参照して、本開示の一実施形態に係るコアネットワークリソースマネージャ４００の構成の一例を説明する。図５は、本開示の一実施形態に係るコアネットワークリソースマネージャ４００の構成の一例を示すブロック図である。図５を参照すると、コアネットワークリソースマネージャ４００は、ネットワーク通信部４１０、記憶部４２０、及び処理部４３０を備える。
【００５３】
（１）ネットワーク通信部４１０
ネットワーク通信部４１０は、信号を送受信する。例えば、ネットワーク通信部４１０は、無線通信装置１００、周波数リソースマネージャ３００、通信事業者装置６００又はインフラマネージャ８００との間で通信を行う。
【００５４】
（２）記憶部４２０
記憶部４２０は、コアネットワークリソースマネージャ４００の動作のためのプログラム及び様々なデータを一時的に又は恒久的に記憶する。
【００５５】
（３）処理部４３０
処理部４３０は、コアネットワークリソースマネージャ４００の様々な機能を提供する。処理部４３０は、取得部４３１、決定部４３３、及び要求部４３５を含む。取得部４３１は、コアネットワークリソースの利用設定の決定要求を周波数リソースマネージャ３００から取得する機能を有する。決定部４３３は、無線通信装置１００による無線通信サービスの提供のための、スライスによるコアネットワークリソースの利用設定を決定する機能を有する。要求部４３５は、無線通信装置１００による無線通信サービスの提供のための、無線通信装置１００による周波数リソースの利用設定を決定するよう周波数リソースマネージャ３００に要求する機能を有する。なお、処理部４３０は、これらの構成要素以外の他の構成要素をさらに含み得る。即ち、処理部４３０は、これらの構成要素の動作以外の動作も行い得る。
【００５６】
＜＜３．技術的特徴＞＞
複数の通信事業者による無線通信装置１００及びコアネットワーク２００の共用は、無線通信装置１００の割り当て手続き、及びリソースの利用設定手続きにより実現される。リソースの利用設定手続きは、周波数リソースの利用設定手続き、及びコアネットワークリソースの利用設定手続きを含み、その順番は任意である。
【００５７】
＜３．１．無線通信装置の割り当て手続き＞
通信事業者装置６００は、無線通信装置１００の割り当てを受ける。例えば、インフラマネージャ８００が、各々の通信事業者への無線通信装置１００の割り当てを行ってもよい。または、通信事業者間または通信事業者とインフラ提供者との間の契約（Agreement）に基づいて、無線通信装置１００が各々の通信事業者に割り当てられてもよい。
【００５８】
＜３．２．リソースの利用設定手続き＞
システム１は、各通信事業者に対して、無線通信装置１００による無線通信サービスの提供のための周波数リソース及びコアネットワークリソースを割り当てる。
【００５９】
詳しくは、周波数リソースマネージャ３００は、無線通信装置１００による無線通信サービスの提供のための、無線通信装置１００による周波数リソースの利用設定を決定する。周波数リソースの利用設定とは、無線通信サービスの提供のために無線通信装置１００による利用が可能とされる、周波数リソースの設定である。無線通信装置１００は、利用が可能とされた周波数リソースの一部又は全部を利用して、無線通信サービスを提供する。
【００６０】
一方で、コアネットワークリソースマネージャ４００は、無線通信装置１００による無線通信サービスの提供のための、無線通信装置１００が接続するコアネットワーク２００上に展開される論理ネットワーク（即ち、スライス）によるコアネットワークリソースの利用設定を決定する。コアネットワークリソースの利用設定とは、無線通信装置１００による無線通信サービスの提供のために、スライスによる利用が可能とされる、コアネットワークリソースの設定である。無線通信装置１００に関連付けられる（即ち、接続される）スライスは、利用が可能とされたコアネットワークリソースの一部又は全部を利用して、無線通信装置１００による無線通信サービスの提供を支援する。
【００６１】
周波数リソースマネージャ３００及びコアネットワークリソースマネージャ４００は、周波数リソースとコアネットワークリソースのいずれか一方のリソースの利用設定の決定結果に基づいて、他方のリソースの利用設定を決定することが可能である。詳しくは、まず、周波数リソースマネージャ３００又はコアネットワークリソースマネージャ４００の一方は、周波数リソース又はコアネットワークリソースのうちいずれか一方のリソースの利用設定を決定して、決定結果に基づいて決定がなされていないリソースの利用設定の決定を他方に要求する。そして、要求された他方は、要求されたリソースの利用設定を決定する。
【００６２】
周波数リソースとコアネットワークリソースのいずれの利用設定が先に決定されてもよい。以下、周波数リソースの利用設定が先に決定される方法を第１の方法とし、コアネットワークリソースの利用設定が先に決定される方法を第２の方法として、各々の方法について詳細に説明する。
【００６３】
＜３．２．１．第１の方法＞
第１の方法は、先に周波数リソースの利用設定が決定された後に、コアネットワークリソースの利用設定が決定される方法である。
【００６４】
（１）周波数リソースの利用設定手続き
周波数リソースマネージャ３００は、無線通信装置１００による無線通信サービスの提供のための、無線通信装置１００による周波数リソースの利用設定を決定する。以下、図６を参照して、この決定処理の流れの一例を説明する。
【００６５】
図６は、本実施形態に係るシステム１において実行される第１の方法における周波数リソースの利用設定の決定処理の流れの一例を示す図である。図６に示すように、本シーケンスには、周波数リソースマネージャ３００、周波数監理データベース５００、及び通信事業者装置６００が関与する。
【００６６】
まず、通信事業者装置６００は、インフラ情報及びライセンス情報を周波数リソースマネージャ３００に送信する（ステップＳ１０２）。次いで、周波数リソースマネージャ３００は、利用可能周波数に係る情報の問い合わせを周波数監理データベース５００に行う（ステップＳ１０４）。次に、周波数リソースマネージャ３００は、周波数リソースマネージャ３００からの問い合わせに基づいて、利用可能周波数に係る情報を同定する（ステップＳ１０６）。次いで、周波数リソースマネージャ３００は、同定した利用可能周波数に係る情報を周波数リソースマネージャ３００に送信する（ステップＳ１０８）。次に、周波数リソースマネージャ３００は、利用可能周波数に係る情報に基づいて、周波数リソースの利用設定を決定する（ステップＳ１１０）。そして、周波数リソースマネージャ３００は、決定した周波数リソースの利用設定に基づいて、無線通信装置１００をセットアップする（ステップＳ１１２）。
【００６７】
以上、周波数リソースの利用設定の決定処理の流れの一例を説明した。以下では、その詳細を説明する。
【００６８】
（１．１）インフラ情報
通信事業者装置６００は、インフラ（即ち、無線通信装置１００）を確保すると、確保したインフラに関する情報であるインフラ情報を周波数リソースマネージャ３００に送信する。インフラ情報に含まれる情報の一例を、以下に説明する。
【００６９】
インフラ情報は、無線通信装置１００の設置位置を示す情報である設置位置情報を含んでいてもよい。例えば、設置位置情報は、緯度、経度、高度、精度、及び屋内／屋外の識別子等を含み得る。
【００７０】
インフラ情報は、無線通信装置１００に関する認証情報である型式認証情報を含んでいてもよい。例えば、型式認証情報は、ＦＣＣ（Federal  Communications  Commission）  ＩＤ（identification）及び技術基準適合証明等の情報を含み得る。
【００７１】
インフラ情報は、無線通信装置１００に固有の情報である装置固有情報を含んでいてもよい。例えば、装置固有情報は、シリアルナンバー及び製造者情報等を含み得る。
【００７２】
インフラ情報は、無線通信装置１００に搭載された無線インタフェースに関する情報である無線インタフェース情報を含んでいてもよい。例えば、無線インタフェース情報は、無線アクセス技術名、及び対応する規格のバージョン等を含み得る。
【００７３】
インフラ情報は、無線通信装置１００が対応する（即ち、使用可能な）周波数を示す情報である対応周波数情報を含んでいてもよい。例えば、対応周波数情報は、中心周波数及び帯域幅の組み合わせであってもよい。また、対応周波数情報は、下限周波数及び上限周波数の組み合わせであってもよい。また、対応周波数情報は、バンド番号又はチャネル番号であってもよい。その他、対応周波数情報は、無線通信装置１００が対応する周波数を示す情報であれば任意の形式をとり得る。
【００７４】
インフラ情報は、無線通信装置１００が送信するスペクトラムに関する情報である送信スペクトラムマスク情報を含んでいてもよい。例えば、送信スペクトラムマスク情報は、最大ＥＩＲＰ（Equivalent  Isotropic  Radiated  Power：実効輻射電力）、及びＡＣＬＲ（Adjacent  Channel  Leakage  Ratio：隣接チャネル漏洩比）等を含み得る。
【００７５】
インフラ情報は、無線通信装置１００に搭載されたアンテナに関する情報であるアンテナ情報を含んでいてもよい。例えば、アンテナ情報は、アンテナのゲイン、チルト角、ビーム幅、アンテナの種類、及び指向性パターン等を含み得る。
【００７６】
インフラ情報は、無線通信装置１００の設置者に関する情報である設置者情報を含んでいてもよい。例えば、設置者情報は、設置者の名前、連絡先、及び固有ＩＤ等を含み得る。
【００７７】
インフラ情報は、無線通信装置１００の運用者に関する情報である運用者情報を含んでいてもよい。例えば、運用者情報は、運用者の名前、連絡先、固有ＩＤ及びコールサイン等を含み得る。
【００７８】
以上、インフラ情報に含まれる情報の一例を説明した。なお、インフラ情報は、上記説明した情報以外にも、各国法規制において指定される情報、及び無線インタフェース技術規定で定められる情報を含んでいてもよい。
【００７９】
（１．２）ライセンス情報
通信事業者装置６００は、通信事業者が周波数ライセンスを有する場合、有する周波数ライセンスに関する情報であるライセンス情報を、周波数リソースマネージャ３００へ送信する。周波数ライセンスとしては、ＰＡＬ（Priority  Access  License）のような、期限付き二次ライセンスであってもよい。
【００８０】
（１．３）利用可能周波数に係る情報の問い合わせ
周波数リソースマネージャ３００は、利用可能周波数に係る情報の問い合わせを周波数監理データベース５００に行う。ここで、周波数リソースマネージャ３００は、通信事業者装置６００から取得した、インフラ情報及びライセンス情報を周波数監理データベース５００に送信することで、問い合わせを行う。
【００８１】
（１．４）利用可能周波数に係る情報の同定
周波数監理データベース５００は、周波数リソースマネージャ３００からの問い合わせに基づいて、利用可能周波数に係る情報を同定する。利用可能周波数に係る情報とは、無線通信装置１００による利用が可能な周波数リソースを示す情報である。例えば、周波数監理データベース５００は、通信事業者が有する周波数ライセンスで利用可能であって、インフラの設置位置において利用可能な周波数を同定する。
【００８２】
（１．５）利用可能周波数に係る情報
周波数監理データベース５００は、利用可能周波数に係る情報を周波数リソースマネージャ３００に送信する。そして、周波数リソースマネージャ３００は、利用可能周波数に係る情報を周波数監理データベース５００から取得する。利用可能周波数に係る情報は、多様な情報を含み得る。以下、利用可能周波数に係る情報に含まれる情報の一例を説明する。
【００８３】
利用可能周波数に係る情報は、利用可能な周波数を示す情報を含む。例えば、利用可能な周波数は、中心周波数及び帯域幅の組み合わせで指定されてもよい。また、利用可能な周波数は、下限周波数及び上限周波数の組み合わせで指定されてもよい。また、利用可能な周波数は、バンド番号又はチャネル番号で指定されてもよい。
【００８４】
利用可能周波数に係る情報は、許容される周波数利用形態を示す識別子を含んでいてもよい。許容される周波数利用形態としては、例えば周波数ライセンスを要する利用（Licensed  use）、及び周波数ライセンスを要さない利用（License-exempt）が挙げられる。
【００８５】
利用可能周波数に係る情報は、周波数の利用に際して適用される法規制を示す情報を含んでいてもよい。例えば、適用される法規制を示す情報は、ＦＣＣ規則番号（例えば、47  C.F.R  Part  96、及び47  C.F.R  Part  15等）を含み得る。また、適用される法規制を示す情報は、ETSI  European  Norm及びHarmonized  Standard番号等を含み得る。その他、適用される法規制を示す情報は、周波数の利用に際して適用される法規制を示す任意の情報を含み得る。
【００８６】
利用可能周波数に係る情報は、周波数の利用に際して許容される送信電力を示す情報を含んでいてもよい。例えば、許容される送信電力を示す情報は、利用可能な周波数における最大許容送信電力、及び最大許容ＥＩＲＰを示す情報を含み得る。
【００８７】
利用可能周波数に係る情報は、周波数の利用に際して許容されるアンテナ設定を示す情報を含んでいてもよい。例えば、許容されるアンテナ設定を示す情報は、設置高、最大許容ビーム幅、チルト角許容範囲、及び許容されるアンテナの向き等を示す情報を含み得る。
【００８８】
利用可能周波数に係る情報は、利用可能周波数に係る情報の有効期限を示す情報を含んでいてもよい。
【００８９】
（１．６）周波数リソースの利用設定の決定
周波数リソースマネージャ３００は、無線通信装置１００による無線通信サービスの提供のための、無線通信装置１００による周波数リソースの利用設定を決定する。具体的には、周波数リソースマネージャ３００は、利用可能周波数に係る情報に基づいて、ひとつ以上の無線通信装置１００の各々において用いられる無線パラメータを選定する。その際、無線パラメータの決定対象の無線通信装置１００に関する他の無線通信装置１００への与干渉及び当該他の無線通信装置１００からの被干渉を考慮して、即ちネットワーク共存（Network  coexistence）を考慮して、無線パラメータが選定されることが望ましい。なお、無線パラメータの選定は、通信事業者装置６００により、又は通信事業者装置６００と協調して行われてもよい。
【００９０】
選定される無線パラメータは多様に考えられる。例えば、選定される無線パラメータは、周波数、送信電力、ＥＩＲＰ、設置位置、アンテナ設定、及び無線インタフェース情報を含み得る。
【００９１】
周波数リソースマネージャ３００は、周波数監理データベース５００により許容される無線パラメータを選定する。そのために、周波数リソースマネージャ３００は、選定した無線パラメータを周波数監理データベース５００に通知する。そして、周波数監理データベース５００は、無線パラメータが許容可能か否かを判定して、その判定結果を周波数リソースマネージャ３００に通知する。周波数リソースマネージャ３００は、許容されるまで無線パラメータを選定し直してもよい。
【００９２】
（１．７）無線通信装置１００のセットアップ
周波数リソースマネージャ３００は、周波数監理データベース５００により許容された無線パラメータを用いて、無線通信装置１００をセットアップする。即ち、周波数リソースマネージャ３００は、選定したパラメータを無線通信装置１００に使用させるための設定を行う。周波数リソースマネージャ３００は、直接的に無線通信装置１００をセットアップしてもよいし、インフラマネージャ８００を介して間接的にセットアップしてもよい。
【００９３】
無線通信装置１００のセットアップが完了すると、通常、無線通信装置１００は電波の発射を開始することが可能である。しかしながら、無線通信装置１００は、物理的にはコアネットワーク２００に接続していても、論理的には未接続である。つまり、無線通信装置１００はスライスに関連付けられていない（即ち、接続していない）ので、無線通信サービスの提供はまだ不可能である。
【００９４】
そこで、以下に説明するように、コアネットワークリソースの利用設定及びコアネットワーク２００のセットアップが行われる。
【００９５】
（２）コアネットワークリソースの利用設定手続き
コアネットワークリソースマネージャ４００は、無線通信装置１００による無線通信サービスの提供のための、コアネットワークリソースの利用設定を決定する。以下、図７を参照して、この決定処理の流れの一例を説明する。
【００９６】
図７は、本実施形態に係るシステム１において実行される第１の方法におけるコアネットワークリソースの利用設定の決定処理の流れの一例を示す図である。本シーケンスには、周波数リソースマネージャ３００、コアネットワークリソースマネージャ４００及び通信事業者装置６００が関与する。
【００９７】
まず、周波数リソースマネージャ３００は、コアネットワークリソースの利用設定の決定要求をコアネットワークリソースマネージャ４００に送信する（ステップＳ２０２）。次いで、コアネットワークリソースマネージャ４００は、コアネットワークリソースの利用設定を決定する（ステップＳ２０４）。次に、コアネットワークリソースマネージャ４００は、コアネットワークリソースの利用設定の決定が完了したか否かを示す情報（Ａｃｋ／Ｎａｃｋ）を周波数リソースマネージャ３００に送信する（ステップＳ２０６）。次いで、コアネットワークリソースマネージャ４００は、決定したコアネットワークリソースの利用設定に基づいてコアネットワーク２００をセットアップする（ステップＳ２０８）。そして、コアネットワークリソースマネージャ４００は、セットアップ情報を通信事業者装置６００に送信する（ステップＳ２１０）。
【００９８】
以上、コアネットワークリソースの利用設定の決定処理の流れの一例を説明した。以下では、その詳細を説明する。
【００９９】
（２．１）コアネットワークリソースの利用設定の決定要求
周波数リソースマネージャ３００は、周波数リソースの利用設定を決定した後、コアネットワークリソースの利用設定の決定をコアネットワークリソースマネージャ４００に要求する。
【０１００】
具体的には、周波数リソースマネージャ３００は、決定された周波数リソースの利用設定を示す周波数リソースの利用設定情報を、コアネットワークリソースマネージャ４００に送信することで、コアネットワークリソースの決定を要求する。その際、周波数リソースマネージャ３００は、周波数リソースの利用設定情報と、無線通信装置１００により提供される無線通信サービスを示すサービス情報とを対応付けて送信する。周波数リソースの利用設定情報とサービス情報とが対応付けて提供されることで、コアネットワークリソースマネージャ４００は、適切なコアネットワークリソースの利用設定を決定することが可能となる。詳しくは、コアネットワークリソースマネージャ４００は、無線通信装置１００が利用する周波数リソースと均衡がとれ、且つ提供される無線通信サービスに対して適量なリソース量を決定することが可能となる。
【０１０１】
例えば、周波数リソースの利用設定情報は、周波数監理データベース５００から取得された利用可能周波数に係る情報、及び選定された無線パラメータを示す情報を含んでいてもよい。
【０１０２】
例えば、サービス情報は、運用者名、サービスタイプ、及びサービス展開エリア情報を含んでいてもよい。なお、運用者名は、運用者のＩＤであってもよい。また、サービスタイプとしては、高速通信、低速通信、低遅延通信、及びパブリックセーフティ等がある。また、サービス展開エリア情報は、サービスの展開に利用したいインフラ（即ち、無線通信装置１００）のＩＤ、及び位置座標の集合又は行政区画情報等の地理領域情報を含み得る。
【０１０３】
（２．２）コアネットワークリソースの利用設定の決定
コアネットワークリソースマネージャ４００は、周波数リソースマネージャ３００から送信された情報（例えば、周波数リソースの利用設定情報等）を取得する。そして、コアネットワークリソースマネージャ４００は、取得した情報に基づいて、無線通信装置１００による無線通信サービスの提供のための、スライスによるコアネットワークリソースの利用設定を決定する。即ち、コアネットワークリソースマネージャ４００は、このタイミングで無線通信装置１００及び通信事業者にスライスを提供する。
【０１０４】
典型的には、コアネットワークリソースマネージャ４００は、無線通信装置１００による無線通信サービスの提供のための利用が可能とされるコアネットワークリソースの量（例えば、計算機リソースの量等）を決定する。コアネットワークリソースの量の決定基準は多様に考えられる。以下、その一例を説明する。
【０１０５】
例えば、コアネットワークリソースマネージャ４００は、無線通信装置１００が収容可能な端末数の推定値に基づいて、コアネットワークリソースの量を決定してもよい。この場合、コアネットワークリソースマネージャ４００は、無線パラメータに基づいて無線通信装置１００に収容される端末数を見積り、見積もった数のユーザ端末に対するサービス提供に最小限必要なサイズのスライスを提供する。具体的には、まず、コアネットワークリソースマネージャ４００は、周波数、送信電力、及びアンテナ設定から、カバレッジサイズ及びセル数を計算する。次いで、コアネットワークリソースマネージャ４００は、セルで利用される周波数幅と、通信事業者が提供したいサービス内容（Massive  IoT,  Narrow-band  IoT,  enhanced  Mobile  Broadband  (eMBB)等）で要する１端末あたりの周波数リソース量から、収容可能な端末数を計算する。そして、コアネットワークリソースマネージャ４００は、計算した収容可能な端末数に基づいて、無線通信装置１００が接続するスライスに割り当てるリソース量を決定する。
【０１０６】
例えば、コアネットワークリソースマネージャ４００は、複数の周波数を無線通信装置１００が利用する場合、周波数ごとに、無線通信サービス提供に最小限必要なサイズのスライスを提供してもよい。換言すると、無線通信装置１００が利用する周波数ごとにスライスが関連付けられてもよい。そして、コアネットワークリソースマネージャ４００は、無線通信装置１００が利用する複数の周波数の各々に関連付けられたスライスによる、コアネットワークリソースの利用設定を決定してもよい。
【０１０７】
例えば、コアネットワークリソースマネージャ４００は、キャリアアグリゲーションが利用されて複数の周波数が束ねて利用される場合には、束ねて利用される複数の周波数に対して１つのスライスを提供してもよい。換言すると、無線通信装置１００が利用する複数の周波数がひとつのスライスに関連付けられてもよい。そして、コアネットワークリソースマネージャ４００は、無線通信装置１００が利用する複数の周波数に関連付けられたひとつのスライスによる、コアネットワークリソースの利用設定を決定してもよい。
【０１０８】
なお、コアネットワークリソースの利用設定の決定は、リソース量の設定以外にも多様な設定の決定を含み得る。例えば、コアネットワークリソースマネージャ４００は、利用設定のひとつとして、スライスを提供する仮想マシンを動作させる物理マシンを決定してもよい。例えば、コアネットワークリソースマネージャ４００は、無線通信装置１００の近くの物理マシンにおいて当該無線通信装置１００のためのスライスを提供する仮想マシンを動作させることで、遅延を低減させることが可能である。
【０１０９】
（２．３）コアネットワークのセットアップ
コアネットワークリソースマネージャ４００は、コアネットワークリソースの利用設定を決定後、決定結果に従って通信事業者向けにコアネットワーク２００のセットアップを行う。このとき、コアネットワークリソースマネージャ４００は、コアネットワーク２００と無線通信装置１００とのセットアップも実施する。具体的には、コアネットワークリソースマネージャ４００は、決定した利用設定に従った計算リソースの割り当て及びスイッチング等を行ってスライスのリソースを制御し、スライスと無線通信装置１００とを関連付ける（即ち、論理的に接続する）。
【０１１０】
（２．４）セットアップ情報
コアネットワークリソースマネージャ４００は、コアネットワーク２００のセットアップを完了後、セットアップ情報を生成して通信事業者装置６００に送信する。
【０１１１】
セットアップ情報は、無線通信装置１００、決定された周波数リソースの利用設定、及び決定されたコアネットワークリソースの利用設定を対応付ける情報である。より簡易には、セットアップ情報は、無線通信装置１００と周波数リソースとスライスとを対応付ける情報である。セットアップ情報が生成されて通信事業者装置６００に通知されることで、通信事業者は、無線通信装置１００に、周波数リソース及びコアネットワークリソースを用いた無線通信サービスを提供させることが可能となる。セットアップ情報が含む情報の一例を、以下に説明する。
【０１１２】
セットアップ情報は、スライスに関連付けられた無線通信装置１００のＩＤを含んでいてもよい。
【０１１３】
セットアップ情報は、コアネットワークリソースの利用設定情報を含んでいてもよい。例えば、コアネットワークリソースの利用設定情報は、無線通信装置１００に接続されるスライスのＩＤ、スライスが利用可能なリソースサイズ、及び推奨用途を含み得る。
【０１１４】
セットアップ情報は、周波数リソースの利用設定情報を含んでいてもよい。例えば、周波数リソースの利用設定情報は、無線通信装置１００により利用される周波数、送信電力、ＥＩＲＰ、設置位置、アンテナ設定及び無線インタフェース情報を含み得る。
【０１１５】
以上説明した処理により、無線通信装置１００及びコアネットワーク２００のセットアップが完了されると、無線通信装置１００は、電波の発射を開始して、無線通信サービスの提供を開始することが可能となる。
【０１１６】
＜３．２．２．第２の方法＞
第２の方法は、先にコアネットワークリソースの利用設定が決定された後に、周波数リソースの利用設定が決定される方法である。
【０１１７】
（１）コアネットワークリソースの利用設定手続き
コアネットワークリソースマネージャ４００は、無線通信装置１００による無線通信サービスの提供のための、コアネットワークリソースの利用設定を決定する。以下、図８を参照して、この決定処理の流れの一例を説明する。
【０１１８】
図８は、本実施形態に係るシステム１において実行される第２の方法におけるコアネットワークリソースの利用設定の決定処理の流れの一例を示す図である。図８に示すように、本シーケンスには、コアネットワークリソースマネージャ４００及び通信事業者装置６００が関与する。
【０１１９】
まず、通信事業者装置６００は、インフラ情報、ライセンス情報及びサービス情報を、コアネットワークリソースマネージャ４００に送信する（ステップＳ３０２）。次いで、コアネットワークリソースマネージャ４００は、コアネットワークリソースの利用設定を決定する（ステップＳ３０４）。次に、コアネットワークリソースマネージャ４００は、決定したコアネットワークリソースの利用設定に基づいてコアネットワーク２００をセットアップする（ステップＳ３０６）。
【０１２０】
以上、コアネットワークリソースの利用設定の決定処理の流れの一例を説明した。以下では、その詳細を説明する。
【０１２１】
（１．１）インフラ情報
通信事業者装置６００は、インフラ（即ち、無線通信装置１００）を確保すると、確保したインフラに関する情報であるインフラ情報をコアネットワークリソースマネージャ４００に送信する。インフラ情報ついては、上述した通りであるので、ここでの再度の説明は省略する。
【０１２２】
（１．２）ライセンス情報
通信事業者装置６００は、通信事業者が周波数ライセンスを有する場合、有する周波数ライセンスに関する情報であるライセンス情報を、コアネットワークリソースマネージャ４００へ送信する。ライセンス情報については、上述した通りであるので、ここでの再度の説明は省略する。
【０１２３】
（１．３）サービス情報
通信事業者装置６００は、通信事業者が提供したい、即ち無線通信装置１００により提供される、無線通信サービスに関する情報であるサービス情報を、コアネットワークリソースマネージャ４００に送信する。サービス情報に含まれる情報については、上述した通りであるので、ここでの再度の説明は省略する。
【０１２４】
（１．４）コアネットワークリソースの利用設定の決定
コアネットワークリソースマネージャ４００は、無線通信装置１００による無線通信サービスの提供のための、スライスによるコアネットワークリソースの利用設定を決定する。具体的には、コアネットワークリソースマネージャ４００は、インフラ情報、ライセンス情報及び無線通信サービスに関する情報に基づいて、無線通信装置１００に接続されるスライスによるコアネットワークリソースの利用設定を決定する。即ち、コアネットワークリソースマネージャ４００は、このタイミングで無線通信装置１００及び通信事業者にスライスを提供する。
【０１２５】
典型的には、コアネットワークリソースマネージャ４００は、無線通信装置１００による無線通信サービスの提供のための利用が可能とされるコアネットワークリソースの量（例えば、計算機リソースの量等）を決定する。コアネットワークリソースの量の決定基準は多様に考えられる。以下、その一例を説明する。
【０１２６】
例えば、コアネットワークリソースマネージャ４００は、無線通信装置１００が収容可能な端末数の推定値に基づいて、コアネットワークリソースの量を決定してもよい。この場合、コアネットワークリソースマネージャ４００は、提供される無線通信サービスと利用される無線通信装置１００のケイパビリティに基づいて、無線通信装置１００が収容可能な端末数を見積もり、見積もった端末数に対するサービス提供に必要なサイズのネットワークスライスを提供する。具体的には、まず、コアネットワークリソースマネージャ４００は、無線通信装置１００のケイパビリティから、提供可能なカバレッジサイズ及びセル数を計算する。次いで、コアネットワークリソースマネージャ４００は、通信事業者が提供したい無線通信サービスにおいて端末が必要とする周波数リソース量、並びに計算したカバレッジサイズ及びセル数から、無線通信装置１００が収容可能な端末数を計算する。そして、コアネットワークリソースマネージャ４００は、計算した収容可能な端末数に基づいて、無線通信装置１００が接続するスライスに割り当てるリソース量を決定する。
【０１２７】
例えば、ひとつのユーザ端末に対して同時に複数の無線通信装置１００が無線通信サービスを提供する場合、コアネットワークリソースマネージャ４００は、複数の無線通信装置１００をひとつのスライスを収容するよう決定してもよい。換言すると、複数の無線通信装置１００がひとつのスライスに関連付けられてもよい。そして、コアネットワークリソースマネージャ４００は、複数の無線通信装置１００に関連付けられたひとつのスライスによる、コアネットワークリソースの利用設定を決定してもよい。なお、ひとつのユーザ端末に対して同時に複数の無線通信装置１００が無線通信サービスを提供する例としては、デュアルコネクティビティ及びＣｏＭＰ（Coordinated  Multi-Point）がある。
【０１２８】
（１．５）コアネットワークのセットアップ
コアネットワークリソースマネージャ４００は、コアネットワークリソースの利用設定を決定後、決定結果に従って通信事業者向けにコアネットワーク２００のセットアップを行う。このとき、コアネットワークリソースマネージャ４００は、コアネットワーク２００と無線通信装置１００とのセットアップも実施する。具体的には、コアネットワークリソースマネージャ４００は、決定した利用設定に従った計算リソースの割り当て及びスイッチング等を行ってスライスのリソースを制御し、スライスと無線通信装置１００とを関連付ける（即ち、論理的に接続する）。
【０１２９】
（２）周波数リソースの利用設定手続き
周波数リソースマネージャ３００は、無線通信装置１００による無線通信サービスの提供のための、無線通信装置１００による周波数リソースの利用設定を決定する。以下、図９を参照して、この決定処理の流れの一例を説明する。
【０１３０】
図９は、本実施形態に係るシステム１において実行される第２の方法における周波数リソースの利用設定の決定処理の流れの一例を示す図である。図９に示すように、本シーケンスには、周波数リソースマネージャ３００、コアネットワークリソースマネージャ４００及び通信事業者装置６００が関与する。
【０１３１】
まず、コアネットワークリソースマネージャ４００は、周波数リソースの利用設定の決定要求を周波数リソースマネージャ３００に送信する（ステップＳ４０２）。次いで、周波数リソースマネージャ３００は、周波数リソースの利用設定を決定する（ステップＳ４０４）。次に、周波数リソースマネージャ３００は、周波数リソースの利用設定の決定が完了したか否かを示す情報（Ａｃｋ／Ｎａｃｋ）をコアネットワークリソースマネージャ４００に送信する（ステップＳ４０６）。次いで、周波数リソースマネージャ３００は、決定した周波数リソースの利用設定に基づいて、無線通信装置１００をセットアップする（ステップＳ４０８）。そして、周波数リソースマネージャ３００は、セットアップ情報を通信事業者装置６００に送信する（ステップＳ４１０）。
【０１３２】
以上、周波数リソースの利用設定の決定処理の流れの一例を説明した。以下では、その詳細を説明する。
【０１３３】
（２．１）周波数リソースの利用設定の決定要求
コアネットワークリソースマネージャ４００は、コアネットワークリソースの利用設定を決定した後、周波数リソースの利用設定の決定を周波数リソースマネージャ３００に要求する。
【０１３４】
具体的には、コアネットワークリソースマネージャ４００は、決定されたコアネットワークリソースの利用設定を示すコアネットワークリソースの利用設定情報を、周波数リソースマネージャ３００に送信することで、周波数リソースの決定を要求する。その際、コアネットワークリソースマネージャ４００は、コアネットワークリソースの利用設定情報と、無線通信装置１００を示す情報とを対応付けて送信する。コアネットワークリソースの利用設定情報と無線通信装置１００を示す情報とが対応付けて提供されることで、周波数リソースマネージャ３００は、適切な周波数リソースの利用設定を決定することが可能となる。詳しくは、周波数リソースマネージャ３００は、無線通信装置１００に接続されるスライスが利用するコアネットワークリソースと均衡がとれ、且つ無線通信装置１００が提供する無線通信サービスに対して適量なリソース量を決定することが可能となる。
【０１３５】
例えば、コアネットワークリソースの利用設定情報は、スライスのＩＤ、スライスが利用可能なリソースサイズ、及び推奨用途を含み得る。
【０１３６】
例えば、無線通信装置１００を示す情報は、無線通信装置１００のＩＤ及び設置位置を示す情報を含み得る。
【０１３７】
さらに、コアネットワークリソースマネージャ４００は、周波数リソースの決定の要求の際に、推奨する周波数リソースの利用設定を示す情報を周波数リソースマネージャ３００に送信してもよい。例えば、推奨する周波数リソースの利用設定を示す情報は、コアネットワークリソースの利用設定情報と対応付けて送信される無線通信装置１００を示す情報に含まれる。これにより、周波数リソースマネージャ３００は、推奨された利用設定を参考にして周波数リソースの利用設定を決定することが可能となる。推奨する周波数リソースの利用設定を示す情報は、例えば、推奨する周波数帯域幅、推奨する周波数、及び推奨する送信電力等を示す情報を含み得る。
【０１３８】
（２．２）周波数リソースの利用設定の決定
周波数リソースマネージャ３００は、コアネットワークリソースマネージャ４００により送信された情報（例えば、コアネットワークリソースの利用設定情報等）を取得する。そして、周波数リソースマネージャ３００は、取得した情報に基づいて、無線通信装置１００による無線通信サービスの提供のための、無線通信装置１００による周波数リソースの利用設定を決定する。
【０１３９】
典型的には、周波数リソースマネージャ３００は、無線通信装置１００による無線通信サービスの提供のための利用が可能とされる周波数リソースの量（例えば、周波数帯域幅）を決定する。もちろん、周波数リソースマネージャ３００は、周波数や送信電力等の他の無線パラメータも決定し得る。
【０１４０】
周波数リソースの利用設定の決定方法は、第１の方法と同様の方法が採用される。詳しくは、周波数リソースマネージャ３００は、通信事業者装置６００又はコアネットワークリソースマネージャ４００から、インフラ情報及びライセンス情報を取得する。次いで、周波数リソースマネージャ３００は、周波数監理データベース５００への問い合わせを行い、利用可能周波数に係る情報を取得する。そして、周波数リソースマネージャ３００は、利用可能周波数に係る情報に基づいて、ひとつ以上の無線通信装置１００の各々において用いられる無線パラメータを選定する。
【０１４１】
とりわけ、第２の方法では、周波数リソースマネージャ３００は、利用可能周波数に係る情報に加えて、コアネットワークリソースマネージャ４００から取得した情報に基づいて、周波数リソースの利用設定を決定する。例えば、周波数リソースマネージャ３００は、コアネットワークリソースの利用設定に基づいてスライスが収容可能な端末数の推定値を計算して、推定値に基づいて周波数リソースの量を決定してもよい。具体的には、まず、周波数リソースマネージャ３００は、通信事業者が提供したい無線通信サービスと無線通信装置１００に関連付けられたスライスが利用するコアネットワークリソースの量とに基づいて、スライスが収容可能な端末数を見積もる。次いで、周波数リソースマネージャ３００は、見積もった端末数に対するサービス提供に必要なサイズの提供に最小限必要なサイズの周波数リソースを決定する。
【０１４２】
（２．３）無線通信装置１００のセットアップ
周波数リソースマネージャ３００は、選定した無線パラメータを用いて、無線通信装置１００をセットアップする。無線通信装置１００のセットアップについては、第１の方法において上記説明した通りである。
【０１４３】
（２．４）セットアップ情報
周波数リソースマネージャ３００は、周波数リソースのセットアップ完了後、セットアップ情報を生成して通信事業者装置６００に送信する。セットアップ情報については、第１の方法において上記説明した通りである。
【０１４４】
以上説明した処理により、無線通信装置１００及びコアネットワーク２００のセットアップが完了されると、無線通信装置１００は、電波の発射を開始して、無線通信サービスの提供を開始することが可能となる。
【０１４５】
＜３．３．利用設定の更新＞
周波数リソースマネージャ３００又はコアネットワークリソースマネージャ４００の一方は、所定の条件が満たされた場合に、周波数リソースの利用設定、又はコアネットワークリソースの利用設定のいずれか一方の変更を決定し、変更が決定されていないリソースの利用設定の変更の決定を他方に要求する。
【０１４６】
・周波数リソースの利用設定の変更が起点となる場合
例えば、周波数リソースマネージャ３００は、所定の条件が満たされた場合に、無線通信装置１００による無線通信サービスの提供のための周波数リソースの利用設定を再度決定する。そして、周波数リソースマネージャ３００は、再度の決定結果に基づいて、コアネットワークリソースマネージャ４００にコアネットワークリソースの利用設定の決定要求を送信する。これにより、コアネットワークリソースマネージャ４００は、無線通信装置１００による無線通信サービスの提供のためのコアネットワークリソースの利用設定を再度決定する。具体的な処理については、上記説明した第１の方法と同様である。
【０１４７】
所定の条件としては、例えば、それまで利用していた周波数リソースが、一次システムによる利用のため利用不可能になったことが挙げられる。また、所定の条件としては、例えば、他の通信事業者から要求があったことが挙げられる。システム１は、このような状況の変化が生じた場合であっても、互いに均衡が取れた適正量の周波数リソース及びコアネットワークリソースを再度決定することが可能である。
【０１４８】
・コアネットワークリソースの利用設定の変更が起点となる場合
例えば、コアネットワークリソースマネージャ４００は、所定の条件が満たされた場合に、無線通信装置１００による無線通信サービスの提供のためのコアネットワークリソースの利用設定を再度決定する。そして、コアネットワークリソースマネージャ４００は、再度の決定結果に基づいて、周波数リソースマネージャ３００に周波数リソースの利用設定の決定要求を送信する。これにより、周波数リソースマネージャ３００は、無線通信装置１００による無線通信サービスの提供のための周波数リソースの利用設定を再度決定する。具体的な処理については、上記説明した第２の方法と同様である。
【０１４９】
所定の条件としては、例えば、コアネットワーク２００にメンテナンスが入ったことが挙げられる。また、所定の条件としては、例えば、他の通信事業者から要求があったことが挙げられる。システム１は、このような状況の変化が生じた場合であっても、互いに均衡が取れた適正量の周波数リソース及びコアネットワークリソースを再度決定することが可能である。
【０１５０】
＜＜４．応用例＞＞
本開示に係る技術は、様々な製品へ応用可能である。例えば、周波数リソースマネージャ３００及び周波数リソースマネージャ３００は、タワーサーバ、ラックサーバ、又はブレードサーバなどのいずれかの種類のサーバとして実現されてもよい。また、周波数リソースマネージャ３００及びコアネットワークリソースマネージャ４００は、サーバに搭載される制御モジュール（例えば、１つのダイで構成される集積回路モジュール、又はブレードサーバのスロットに挿入されるカード若しくはブレード）であってもよい。
【０１５１】
図１０は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１５２】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１５３】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１５４】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１５５】
図１０に示したサーバ７００において、図４を参照して上記説明した周波数リソースマネージャ３００に含まれる１つ以上の構成要素（取得部３３１、決定部３３３及び／又は要求部３３５）、又は図５を参照して上記説明したコアネットワークリソースマネージャ４００に含まれる１つ以上の構成要素（取得部４３１、決定部４３３及び／又は要求部４３５）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０１５６】
また、図１０に示したサーバ７００において、例えば、図４を参照して説明したネットワーク通信部３１０又は図５を参照して次説明したネットワーク通信部４１０は、ネットワークインタフェース７０４において実装されてもよい。また、記憶部３２０又は記憶部４２０は、メモリ７０２及び／又はストレージ７０３において実装されてもよい。
【０１５７】
＜＜５．まとめ＞＞
以上、図１〜図１０を参照して、本開示の一実施形態について詳細に説明した。上記説明したように、本実施形態に係る周波数リソースマネージャ３００又はコアネットワークリソースマネージャ４００の一方は、無線通信装置１００による無線通信サービスの提供のための、無線通信装置１００による周波数リソースの利用設定、又は無線通信装置１００が接続する物理ネットワーク上に展開される論理ネットワークによるネットワークリソースの利用設定のうち、いずれか一方のリソースの利用設定を決定する。そして、周波数リソースマネージャ３００又はコアネットワークリソースマネージャ４００のうち上記決定を行った一方は、その決定結果に基づいて決定がなされていないリソースの利用設定の決定を他方に要求する。そして、要求された他方は、当該要求に基づいて決定がなされていないリソースの利用設定を決定する。これにより、周波数リソース又はコアネットワークリソースの利用設定が、他方の利用設定の決定結果に基づいて決定されることになり、周波数リソースとコアネットワークリソースとが互いに均衡するように利用設定を決定することが可能となる。これに伴い、リソースの無駄な割り当てが削減されると共に、過少な割り当ても防止されて、リソースの利用効率を向上させることが可能となる。
【０１５８】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１５９】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１６０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１６１】
なお、以下のような構成も本開示の技術的範囲に属する。
（１）
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定を決定する決定部と、
前記決定部による決定結果に基づいて決定がなされていないリソースの利用設定の決定を他の装置に要求する要求部と、
を備える装置。
（２）
前記決定部は、前記周波数リソースの利用設定を決定し、
前記要求部は、決定された前記周波数リソースの利用設定を示す情報を前記他の装置に送信する、前記（１）に記載の装置。
（３）
前記要求部は、決定された前記周波数リソースの利用設定を示す情報と、提供される前記無線通信サービスを示す情報とを対応付けて前記他の装置に送信する、前記（２）に記載の装置。
（４）
前記決定部は、前記無線通信装置による利用が可能な周波数リソースを示す情報を、周波数監理データベースから取得する、前記（２）又は（３）に記載の装置。
（５）
前記決定部は、前記ネットワークリソースの利用設定を決定し、
前記要求部は、決定された前記ネットワークリソースの利用設定を示す情報を前記他の装置に送信する、前記（１）に記載の装置。
（６）
前記要求部は、決定された前記ネットワークリソースの利用設定を示す情報と、前記無線通信装置を示す情報とを対応付けて前記他の装置に送信する、前記（５）に記載の装置。
（７）
前記要求部は、推奨する前記周波数リソースの利用設定を示す情報を前記他の装置に送信する、前記（６）に記載の装置。
（８）
前記決定部は、所定の条件が満たされた場合に、前記周波数リソースの利用設定、又は前記ネットワークリソースの利用設定のいずれか一方の変更を決定し、
前記要求部は、変更が決定されていないリソースの利用設定の変更の決定を前記他の装置に要求する、前記（１）〜（７）のいずれか一項に記載の装置。
（９）
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得する取得部と、
前記取得部により取得された情報に基づいて、決定がなされていないリソースの利用設定を決定する決定部と、
を備える装置。
（１０）
前記決定部は、無線通信装置による無線通信サービスの提供のための利用が可能とされるリソースの量を決定する、前記（９）に記載の装置。
（１１）
前記決定部は、前記無線通信装置又は前記論理ネットワークが収容可能な端末数の推定値に基づいて決定する、前記（９）又は（１０）に記載の装置。
（１２）
前記無線通信装置が利用する周波数ごとに前記論理ネットワークが関連付けられる、前記（９）〜（１１）のいずれか一項に記載の装置。
（１３）
前記無線通信装置が利用する複数の周波数がひとつの前記論理ネットワークに関連付けられる、前記（９）〜（１１）のいずれか一項に記載の装置。
（１４）
複数の前記無線通信装置がひとつの前記論理ネットワークに関連付けられる、前記（９）〜（１１）のいずれか一項に記載の装置。
（１５）
前記決定部は、前記無線通信装置、決定された前記周波数リソースの利用設定、及び決定された前記ネットワークリソースの利用設定を対応付けた情報を生成する、前記（９）〜（１４）のいずれか一項に記載の装置。
（１６）
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定をプロセッサにより決定することと、
決定結果に基づいて決定がなされていないリソースの利用設定の決定を他の装置に要求することと、
を含む方法。
（１７）
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得することと、
取得された情報に基づいて、決定がなされていないリソースの利用設定をプロセッサにより決定することと、
を含む方法。
（１８）
コンピュータを、
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定を決定する決定部と、
前記決定部による決定結果に基づいて決定がなされていないリソースの利用設定の決定を他の装置に要求する要求部と、
として機能させるためのプログラムを記録した記録媒体。
（１９）
コンピュータを、
無線通信装置による無線通信サービスの提供のための、前記無線通信装置による周波数リソースの利用設定、又は前記無線通信装置が接続する物理ネットワーク上に展開される論理ネットワークによるネットワークリソースの利用設定のうち、いずれか一方のリソースの利用設定の決定結果を示す情報を取得する取得部と、
前記取得部により取得された情報に基づいて、決定がなされていないリソースの利用設定を決定する決定部と、
として機能させるためのプログラムを記録した記録媒体。
【符号の説明】
【０１６２】
１        システム
１００    無線通信装置
２００    コアネットワーク
３００    周波数リソースマネージャ
３１０    ネットワーク通信部
３２０    記憶部
３３０    処理部
３３１    取得部
３３３    決定部
３３５    要求部
４００    コアネットワークリソースマネージャ
４１０    ネットワーク通信部
４２０    記憶部
４３０    処理部
４３１    取得部
４３３    決定部
４３５    要求部
５００    周波数監理データベース
６００    通信事業者装置
８００    インフラマネージャ
【図１】
2018173418.tif 000003
【図２】
2018173418.tif 000004
【図３】
2018173418.tif 000005
【図４】
2018173418.tif 000006
【図５】
2018173418.tif 000007
【図６】
2018173418.tif 000008
【図７】
2018173418.tif 000009
【図８】
2018173418.tif 000010
【図９】
2018173418.tif 000011
【図１０】
2018173418.tif 000012
【国際調査報告】
2018173418.tif 000013
2018173418.tif 000014
2018173418.tif 000015
2018173418.tif 000016